(57)【要約】【課題】液晶テレビ等の機器取付・保持装置を、十分な強度と、重い機器でも所望の角度で保持・固定でき、角度変更も容易に行えるようにする。【解決手段】壁面等１へ取付け可能な金属製の固定部材３は、前側に半球状部７を設け、外周面に多数の係止用小凸部８をほぼ等間隔状に形成すると共に、中央頂部から内部下方へ締付けポルト用の雌ネジ孔９を設け、機器１０を取付け可能な金属製の可動部材４は、後側に上記半球状部７へ冠合可能な半球殻状部１２を有し、内周面に上記係止用小凸部８にほぼ対応する如く多数の係止用小凸部１３をほぼ等間隔状に形成すると共に、頂部から前後方向へ長いボルト通挿用孔１４を形成して、半球殻状部１２上部から締付けボルト５を、該通挿用孔１４を経て半球状部７の雌ネジ孔９へ螺合して締付ける。【選択図】        図３
0003119171.tif 000002
【実用新案登録請求の範囲】
【請求項１】
壁面等１へ取付けた取付け用基板２へ取付ける金属製の固定部材３と、該固定部材３へ可回動に取付ける金属製の可動部材４と、金属製の締付けボルト５とを有してなり、
上記固定部材３は、後側に上記取付け用基板２へ取付ける板状部６を設け、その前側に上方へ向けて半球状部７を突設して、該半球状部７の外周面に多数の係止用小凸部８をほぼ等間隔状に形成すると共に、該半球状部７の中央頂部から内部下方へ締付けポルト用の雌ネジ孔９を形成し、
上記可動部材４は、前側に液晶テレビ等の機器１０を取付け可能な板状部１１を設け、その後側に上記半球状部７へ冠合可能な形状の半球殻状部１２を設けて、該半球殻状部１２の内周面に上記係止用小凸部８にほぼ対応する多数の係止用小凸部１３をほぼ等間隔状で形成すると共に、該半球殻状部１２にその頂部から前後方向へ長いボルト通挿用孔１４を形成し、
上記半球状部７へ冠合した半球殻状部１２の上部からボルト通挿用孔１４を経て、締付けボルト５を前記雌ネジ孔９へ螺合させて、可動部材４と固定部材３とを締付け固定可能としたことを特徴とする、液晶テレビ等の取付・保持装置。
【請求項２】
固定部材３，可動部材４を亜鉛ダイカスト製とした請求項１に記載の液晶テレビ等の取付・保持装置。
【請求項３】
固定部材３の半球状部７の小凸部８と、可動部材４の半球殻状部１２の小凸部１３とを、固定部材３と可動部材４を締付け時に、半球殻状部１２の小凸部１３が半球状部７の小凸部８間の小凹所８ａへ、また半球状部７の小凸部８が半球殻状部１２の小凸部１３間の小凹所１３ａへ係合可能な大きさと配列とにした、請求項１に記載の液晶テレビ等の取付・保持装置。
【請求項４】
半球状部７外周面の隣接する小凸部８間の間隔ｓを、半球殻状部１２内周面の小凸部１３の直径ｍよりも小さめとし、半球殻状部１２内周面の隣接する小凸部１３間の間隔ｔを、半球状部７外周面の小凸部８の直径ｎよりも小さめに形成した、請求項１ないし３に記載の液晶テレビ等の取付・保持装置。
【請求項５】
半球状部７外周面と半球殻状部１２内周面の各小凸部８，１３の配列を、前後方向と左右方向になるようにした、請求項１ないし４に記載の請求項１に記載の液晶テレビ等の取付・保持装置。
【請求項６】
半球状部７外周面と半球殻状部１２内周面の各小凸部８，１３の配列を、少なくとも一方の配列が斜め状になるようにした、請求項１ないし４に記載の液晶テレビ等の取付・保持装置。
【考案の詳細な説明】
【技術分野】
【０００１】
本考案は、例えば液晶テレビ、音響スピーカー、監視用カメラ等の機器を、壁面、天井面又はフロアースタンド等に所望の角度に調節して取付保持可能な装置に関するものである。
【背景技術】
【０００２】
液晶テレビ、音響スピーカー、監視用カメラ等の機器は、壁面、天井面又はフロアースタンド等に所望の角度で取付けて使用されることが多いが、そのための角度調節可能な取付け保持手段として、従来例えば次のようなものがある。
【０００３】
イ）「一面に所定径のネジ穴を有する機器を、その姿勢が可変できるように支持するための支持装置に用いられ、軸部と、該軸部の一端側に設けられた球形部と、前記軸部の他端側に設けられ前記機器のネジ穴に螺合するネジ部とを有し、前記軸部とネジ部を外方に突出させた状態で前記球形部を中心にして揺動自在に支持され、前記球形部に対する所定部材の当接を受けて揺動が規制される支持装置の揺動軸」において、その軸部・球形部・ネジ部等の主要部を金属製または硬質合成樹脂製としたもの（下記特許文献１の明細書の従来の技術の項、図１５，図１６の記載参照）。
【特許文献１】特開平７−２２９５１３号公報
【０００４】
ロ）「一面に所定径のネジ穴を有する機器を、その姿勢が可変できるように支持するための支持装置に用いられ、軸部と、該軸部の一端側に設けられた球形部と、前記軸部の他端側に設けられ前記機器のネジ穴に螺合するネジ部とを有し、前記軸部とネジ部を外方に突出させた状態で前記球形部を中心にして揺動自在に支持され、前記球形部に対する所定部材の当接を受けて揺動が規制される支持装置の揺動軸」において、「揺動軸は、硬質の合成樹脂製の軸本体３８と、軸本体下端の半球部に固定され、その半球部とともに揺動軸の球形部を形成するゴム等の軟質合成樹脂製の半球体４５と、軸本体上端のネジ台上に載置された金属製のネジ体５０と、ネジ台に上方から嵌着して、ネジ体のネジ部５２を上方へ突出させ、かつネジ体の回転および抜けを規制する硬質合成樹脂製の円筒体５３とで構成されており、第１の操作体３１のボール収容部３４にその球形部が収容された状態で揺動自在に支持され、そのボール収容部へ向かって下方から螺着される支持軸が半球体４５に当接すると、揺動が規制される（ようにし）、円筒体５３の外周のネジ溝には第２の操作体６０が螺着されている（もの）」（上記特許文献１の要約書、発明の詳細な説明の項および図１ない図１４の記載参照）。
【０００５】
ハ）ボールジョイントに関するものであり、「一方の継ぎ手部材を構成する表面に多数のディンプルを形成した球体部と、この球体部の外周を囲む球状凹面を持ちこの球体部の外周に被せられて他方の継ぎ手部材を構成する球状凹面部材と、前記球体部の表面に弾性的に押圧されるように前記球状凹面部材に取り付けられた固定用部材とからなるもの（下記特許文献２の請求項２参照）。
【特許文献２】特開平１０−２７４２３５号公報
【０００６】
ニ）これもボールジョイントに関するものであるが、「ソケットと、該ソケットのソケット穴にベアリングを介在させて回動自在に連結されたボール部を有するボールスタッドを具備してなるボールジョイントにおいて、上記ベアリングの上記ソケット穴の壁面に接する外周面に、円環状又はディンプル形状の突起を複数個設けたもの（下記特許文献３の請求項１、図３参照）。
【特許文献３】特開平５−５２２１２号公報
【考案の開示】
【考案が解決しようとする課題】
【０００７】
ところが、上記従来のものには、次のような問題点があった。
まず上記イ）のものは、構造が比較的複雑で、これを金属製とすると製造コストが高くなるし、合成樹脂製とするとネジ部分の強度が弱くなる。また球体部とそれを受ける凹球面部間での摩擦力があまり大きくならず、特に大型の液晶テレビ等のような重量の大きい機器を、所望の角度で保持して取付・固定するのには無理があった。
【０００８】
次に上記ロ）のものは、硬質合成樹脂と軟質合成樹脂とを組合わせて、強度と摩擦力を大きくしようとしているが、構造が複雑でやはり製造コストが高くなってしまうし、大型の機器を固定するには強度上の問題が生じる。また揺動（所望角度への変更）を何度も繰り返して使用することで、磨耗により寿命が短くなってしまうというおそれもある。
【０００９】
上記ハ）のものは、互いの摺動を固定する固定用部材として、球体部表面のディンプルにバネで付勢された接触片を設けてあるが、バネ力による押圧では、大型の液晶テレビ等のような重量の大きい機器を所望の角度で保持して取付・固定することは無理である。
【００１０】
上記ニ）のものは、外周面に多数個の突起を形成した半球状の部材を用いているが、これは耐磨耗性をもつ合成樹脂による弾性変形による弾発力により、ソケット内のボールスタッドに適正を作動トルクを与えるものである。またこれは、ボールスタッドが作動する際に適正なトルクをもたせるためのものであって、本願のように大型の液晶テレビ等の重量の大きい機器を所望の角度で取付・固定する装置に応用できない構造である。
【００１１】
本考案は、上記従来の手段を有する問題点の解決を課題としたものである。即ち本考案の目的は、シンプルな構成で製造コストが高くつかず、大型の液晶テレビ等のような重量の大きい機器でも所望の角度を保持して固定でき、必要に応じてその角度を変更することも容易に行えるような、液晶テレビ等の機器取付・保持装置を提供することにある。
【課題を解決するための手段】
【００１２】
本考案に係る液晶テレビ等の取付・保持装置は、
壁面等１へ取付けた取付け用基板２へ取付ける金属製の固定部材３と、該固定部材３へ可回動に取付ける金属製の可動部材４と、金属製の締付けボルト５とを備えたもので、
上記固定部材３は、後側に上記取付け用基板２へ取付ける板状部６を設け、その前側に上方へ向けて半球状部７を突設して、その外周面に多数の係止用小凸部８をほぼ等間隔状に形成すると共に、該半球状部７の中央頂部から内部下方へ締付けポルト用の雌ネジ孔９を形成し、
上記可動部材４は、前側に液晶テレビ等の機器１０を取付け可能な板状部１１を設け、その後側に上記半球状部７へ冠合可能な形状の半球殻状部１２を設けて、その内周面に上記係止用小凸部８にほぼ対応する多数の係止用小凸部１３をほぼ等間隔状で形成すると共に、該半球殻状部１２にその頂部から前後方向へ長いボルト通挿用孔１４を形成し、
該半球状部７へ冠合した半球殻状部１２の上部から締付けボルト５を、ボルト通挿用孔１４を経て前記雌ネジ孔９へ螺合させて、可動部材４と固定部材３とを締付け固定可能としたものである。
【００１３】
上記構成において、壁面等１とは、例えば壁面、天井面、フロアースタンドその他であって、液晶テレビ等の機器１０を取付ける相手方を指す。液晶テレビ等の機器１０とは、例えば液晶テレビ、音響スピーカー、監視用カメラその他の機器を意味する。
【００１４】
固定部材３の半球状部７の小凸部８と可動部材４の半球殻状部１２の小凸部１３とは、固定部材３と可動部材４を締付け時に、半球殻状部１２の小凸部１３が半球状部７の小凸部８間の小凹所８ａへ、また半球状部７の小凸部８が半球殻状部１２の小凸部１３間の小凹所１３ａへ係合可能としてある。その係合は、全ての小凸部８，１２が相手方の小凹所１３ａ，８ａへ係合してもよいが（例えば図３参照）、必ずしもその必要はなく、上部寄りのものが係合するだけでもよい。
なお、図で１７は押えワッシャを示す。
【考案の効果】
【００１５】
上記構成の液晶テレビ等の取付け保持装置は、次のような効果を奏する。
ａ）従来のこの種のものと比べて、シンプルな構成で製造コストも安価になる。
即ち、本考案の装置は取付け用基板２と、固定部材３と、可動部材４と、締付けボルト５とからなるが、シンプな構成であり、鉄製の締付けボルト５以外は、例えば亜鉛ダイカストにて容易に製造できるものである。上記押えワッシャ１７も同様である。またその組付け作業も、シンプルな構成であることで容易・迅速に行えるから、液晶テレビ等の機器の取付け保持装置を、従来のものに比べて安価に提供できるようになる。
【００１６】
ｂ）各部は十分な強度と耐用期間を有する。
即ち、従来のこの種の装置では、締付けボルトや雌ネジ孔部分を除いて、全体は硬質合成樹脂であるが、一部に軟質合成樹脂を用いるため、強度面で問題があったり、可動部分が繰り返しの使用で損耗しがちであった。しかし本考案の装置は、上記の如く取付け用基板２、固定部材３、可動部材４、締付けボルト５等の全てを金属製に構成できるから、耐荷重性に優れており十分な強度を有すると共に耐磨耗性にも優れており、液晶テレビ等の機器の取付け保持装置として耐用期間・使用可能期間を長くできる。
【００１７】
ｃ）例えば大型の液晶テレビのような大きい重量の機器でも、所望の取付け角度を保持して取付・固定できる。
即ち、従来の装置では、半球状部や半球殻状部が合成樹脂同士や、金属性でも滑らかな外・内周面をもつため、摩擦力があまり大きくなかった。また半球状部に多数の凹部（ディンプル）を形成したものでもバネ力による押圧で係止するものであるために、重量の大きい機器を取付けると、半球状部と半球殻状部間で滑りが生じ、機器を所望の取付け角度にセットできなかったり、一旦固定しても不用意に回動してしまうことが多かった。
しかし本考案の装置では、半球状部７の外周面と半球殻状部１２の内周面に各々多数の小凸部８，１３を設けてあり、締付けボルト５で半球状部７へ半球殻状部１２を押圧した時に、それらの小凸部８，１３が相手方の各小凸部１３，８間の各小凹所１３ａ，８ａ内に、互いに係合して係止されることになる。
これにより、可動部材４が固定部材３に一旦締付け固定された後は、該可動部材４の板状部１１に重量の大きい機器１０を取付けても、可動部材４が不用意に回動することはなく、所望の取付け角度を保持して取付・固定することができる。
【００１８】
ｄ）一旦取付・固定後も、液晶テレビ等の機器１０の上下方向の取付け角度を容易に変更することができる。
即ち、本考案では締付けボルト５を緩めることにより、半球状部７と半球殻状部１２との間は、各小凸部８，１３と相手方の各小凹所１３ａ，８ａとの係合・係止状態が解かれてフリーになる。これで可動部材４の半球殻状部１２は、前後方向へ長いボルト通挿用孔１４により、そこに通挿した締付けボルト５に沿って前後方向へ可回動となるから、可動部材４が前後方向へ首振り移動可能となる。
そのため、液晶テレビ等の機器１０を上下方向の角度か所望の状態になるようにして、締付けボルト５を締付ければよい。これで、上記と同様に半球状部７と半球殻状部１２との間で、小凸部８，１３が相手方の各小凹所１３ａ，８ａへの係合して係止状態となり、所望の上下方向の角度で取付・固定できることになる（例えば図１・図４参照）。
【００１９】
ｅ）また、液晶テレビ等の機器１０の左右方向の取付け角度も、容易に変更することができる。
即ち、上記のように締付けボルト５を緩めることで、上記と同様に、半球状部７と半球殻状部１２との間は、小凸部８，１３は相手方の各小凹所１３ａ，８ａへの係合・係止状態が解かれてフリーになる。これで可動部材４は、半球殻状部１２のボルト通挿用長孔１４に通挿された締付けボルト５を縦軸として可回動となり、左右方向への首振り移動が可能となる。
そのため、液晶テレビ等の機器１０の左右方向の角度を所望の状態にして、その位置で上記と同様に締付けボルト５を締付ければ、その角度で取付・固定できることになる（例えば図５参照）。
【００２０】
なお、上記した上下方向の角度の調節と左右方向への角度の調節とは、いずれを先に行ってもよいし、どの上下方向の角度位置においも左右方向への角度を変更することが可能であり、またどの左右方向の角度位置においても上下方向への角度を変更することができる。
【考案を実施するための最良の形態】
【００２１】
上記構成において、取付け用基板２、固定部材３、可動部材４等の上記各部の材質は、例えば亜鉛ダイカスト製としておくのがよい。固定部材３や可動部材４に形成した各小凸部８，１３の大きさやその各間隔ｓ，ｔは、固定部材３の半球状部７の各小凸部８が、可動部材４の半球殻状部１２の隣接する４個の各小凸部１３間の小凹所１３ａ内に係合し、また可動部材４の半球殻状部１２の各小凸部１３が固定部材３の半球状部７の隣接する４個の各小凸部８間の小凹所８ａ内に係合可能になる程度にしておく。
【００２２】
換言すれば、半球状部７外周面の隣接する小凸部８間の間隔ｓを、半球殻状部１２内周面の小凸部１３の直径ｍよりも小さめとし、半球殻状部１２内周面の隣接する小凸部１３間の間隔ｔを、半球状部７外周面の小凸部８の直径ｎよりも少し小さめとしてしておくのがよい（例えば図９参照）。
【００２３】
また上記固定部材３と可動部材４の各側に形成する小凸部８，１３の配列は、各小凸部８，１３の大きさやその各間隔ｓ，ｔを上記のようにするなら、双方の小凸部８，１３共に前後方向と左右方向になるように配列すれば（例えば図９参照）、不用意な移動・回動はなくなる。
【００２４】
さらに、各小凸部８，１３の大きさやその各間隔ｓ，ｔを上記のようにしない場合は、双方共に斜め状になるように配列して、係合した状態で前後または左右方向への移動を係止されるようにしてもよい（例えば図１０参照）。また図示は省略するが、一方の側の小凸部８を前後方向と左右方向への配列とし、他方の側の小凸部１３を斜め状に配列してもよい。いずれの場合でも、締付けボルト５で締付け時に固定部材３と可動部材４は係止状態にあり、不用意に回動しなくしてある。
【実施例１】
【００２５】
ここでの実施例は、機器として液晶テレビ１０を壁面１へ取付けるもので説明する。
２は金属製の取付け用基板を示し、ここでは縦が約１１０ｍｍ、横幅が約８０ｍｍ、厚さ約２ｍｍの鉄板製で、四隅と中間両側に取付けネジ１６用の孔を有すると共に、前面の両側寄りに下方で間隔が狭くなる如く縦長の取付け用係止縁１７，１７を形成してある。      
【００２６】
３は金属製の固定部材を示し、ここでは亜鉛ダイカスト製の一体成形物で、後側（壁面側）に上記取付け用基板２の係止縁１７，１７間へ上方から係合可能な取付け用板状部６を有し、また前側（手前側）への二枚の立設した連結用板状部１８を経て、上方へ向けた半球状部７を突設してある。
【００２７】
該半球状部７はここでは外径約３５ｍｍで、その外周面に多数の係止用小凸部８をほぼ等間隔で形成してある。該小凸部８はここでは薄い円盤状で、直径ｍが約１．７ｍｍ、高さ約０．２ｍｍ、隣接するものとの間隔ｓを約１．０ｍｍで多数個形成してある。また該半球状部７の中央頂部から内部下方へ向けて、締付けボルト５を螺合させる締付けボルト用の雌ネジ孔９を形成してある。
【００２８】
４は金属製の可動部を示し、ここでは亜鉛ダイカスト製の一体成形物であり、後側（壁面側）に、上記半球状部７へ冠合可能な形状の半球殻状部１２を設けてある。該半球殻状部１２は、ここでは内径が約３６ｍｍで、その内周面に多数の係止用小凸部１３をほぼ等間隔で形成してある。該小凸部１３はここでは薄い円盤状で、直径ｎが約１．７ｍｍ、高さが約０．２ｍｍ、隣接するものとの間隔ｔを約１．０ｍｍとして多数個形成してある。該半球殻状部１２には、締付けボルト５を通挿用に前後方向へ長いボルト通挿用孔１４を形成してある。
【００２９】
また該半球殻状部１２の前側（手前側）に、二枚の立設した連結用板状部１９を介して取付け用板状部１１を形成してあり、機器としての液晶テレビ１０を取付け可能な取付け補助板２０を連結する４個の取付けネジ用孔を有している。
【００３０】
１５は押えワッシャを示し、ここでは亜鉛ダイカスト製で、下部に上記可動部材４の半球殻状部１２の外周面に沿った凹曲面部２１を有すると共に、上部に締付けボルト５の頭部を受ける短円筒状受け部２２を形成してある。
【００３１】
５は締付けボルトを示し、押えワッシャ１５から上記可動部材４の前後に長いボルト通挿用孔１４を経て、上記固定部材３の締付けボルト用の雌ネジ孔９へ螺装して、締付け固定するものである。
図において、２０は取付け補助板を示し、可動部材４の取付け用板状部１１と機器としての液晶テレビ１０との間に介装させるものである。
【００３２】
なお、上記固定部材３の半球状部７と可動部材４の半球殻状部１２との各小凸部８，１３は、全ての小凸部８，１３が相手方の小凹所１３ａ，８ａに係合する必要はなく、上部寄りだけの係合でよい。ここでは、固定部材３の半球状部７外周面の小凸部８を前後方向と左右方向とからなる配列とし、半球殻状部１２内周面の小凸部１３を斜め方向になるように配列してある。
【実施例２】
【００３３】
上記実施例１では、液晶テレビ等の機器１０を壁面１へ取付ける例を示した。図示は省略するが、固定用部材３を取付ける取付け用基板２を天井面から吊下げるようにすれば、液晶テレビ等の機器を天井から吊るした状態で上記と同様に所望の角度で取付・保持できる。また取付け用基板１をフロアスタンドに取付ければ、フロアスタンド上に液晶テレビ等の機器を所望の角度で取付け取付・保持できることになる。
【図面の簡単な説明】
【００３４】
【図１】本考案に係る液晶テレビ等の取付け保持装置の実施例を示す斜視図である。
【図２】本考案に係る液晶テレビ等の取付け保持装置の実施例で、液晶テレビ等を画面が垂直状になるように保持した状態を示す側面図である。
【図３】図２で示したものの要部の縦断側面図である。
【図４】本考案に係る液晶テレビ等の取付け保持装置の実施例で、液晶テレビ等を画面が下方を向く傾斜状に保持した状態を示す側面図である。
【図５】本考案に係る液晶テレビ等の取付け保持装置の実施例で、液晶テレビ等を画面が左斜め方向を向くように保持した状態を示す平面図である。
【図６】本考案に係る液晶テレビ等の取付け保持装置の実施例で、固定部材の一部切欠き側面図である。
【図７】本考案に係る液晶テレビ等の取付け保持装置の実施例で、可動部材の一部切欠き側面図である。
【図８】本考案に係る液晶テレビ等の取付け保持装置の実施例で用いた押えワッシャの一部縦断側面図である。
【図９】本考案に係る液晶テレビ等の取付け保持装置の実施例で、半球状部と半球殻状部の各小凸部の配列と、相手方の小凹所への係合状態の例を示す平面図である。
【図１０】本考案に係る液晶テレビ等の取付け保持装置の実施例で、半球状部と半球殻状部の各小凸部の配列と、相手方の小凹所への係合状態の他の例を示す平面図である。
【符号の説明】
【００３５】
１−壁面等
２−取付け用基板
３−固定部材
４−可動部材
５−締付けボルト
６−板状部
７−半球状部
８−小凸部
８ａ−小凹所
９−雌ネジ孔
１０−機器
１１−板状部
１２−半球殻状部
１３−小凸部
１３ａ−小凹所
１４−ボルト通挿用孔
１５−押えワッシャ
１６−取付けネジ
１７−係止縁
１８−板状部
１９−板状部
２０−取付け補助板
２１−凹曲面部
２２−短円筒状受部
ｓ−間隔
ｔ−間隔
ｍ−直径
ｎ−直径
【図１】
0003119171.tif 000003
【図２】
0003119171.tif 000004
【図３】
0003119171.tif 000005
【図４】
0003119171.tif 000006
【図５】
0003119171.tif 000007
【図６】
0003119171.tif 000008
【図７】
0003119171.tif 000009
【図８】
0003119171.tif 000010
【図９】
0003119171.tif 000011
【図１０】
0003119171.tif 000012